(57)【要約】【課題】簡単に制御でき、かつ、商品選択ボタンと対応する商品情報表示とが確実に位置合わせできる自動販売機の商品表示装置を提供すること。【解決手段】駆動プーリ２０と従動プーリとの間に巻回する一方、複数の商品情報表示を設けた商品表示テープ１４を備え、駆動手段の駆動によってこの商品表示テープ１４を移動させることにより、商品選択ボタンに対する商品情報表示の切り換えを行う自動販売機の商品表示装置において、商品表示テープ１４の隣合う商品情報表示を等ピッチで設け、商品表示テープ１４の商品情報表示のピッチが駆動プーリ２０の周長と比例関係を有するようにした。【選択図】      図４
2004234490.tif 000002
【特許請求の範囲】
【請求項１】
駆動プーリと従動プーリとの間に巻回する一方、複数の商品情報表示を設けた商品表示テープを備え、駆動手段の駆動によってこの商品表示テープを移動させることにより、商品選択ボタンに対する商品情報表示の切り換えを行う自動販売機の商品表示装置において、
前記商品表示テープの隣り合う商品情報表示を等ピッチで設け、
前記商品表示テープの商品情報表示のピッチが前記駆動プーリの周長と比例関係を有することを特徴とする自動販売機の商品表示装置。
【請求項２】
駆動プーリと従動プーリとの間に巻回する一方、複数の商品情報表示を設けた商品表示テープを備え、駆動手段の駆動によってこの商品表示テープを移動させることにより、商品選択ボタンに対する商品情報表示の切り換えを行う自動販売機の商品表示装置において、
前記商品表示テープに商品選択ボタンと商品情報表示の位置合わせの基準となる表示基準位置を設けるとともに、前記駆動プーリの回転基準となる回転原点を設け、
前記商品表示テープの表示基準位置と前記駆動プーリの回転原点とを同時に検出するように設定したことを特徴とする自動販売機の商品表示装置。
【発明の詳細な説明】
【０００１】
【発明の属する技術分野】
本発明は、自動販売機の商品表示装置に関するものであり、たとえば、温蔵商品と冷蔵商品とを販売する自動販売機の商品表示装置に関するものである。
【０００２】
【従来の技術】
温蔵商品と冷蔵商品とを販売する自動販売機が一般に知られている。かかる自動販売機によれば、たとえばコーヒーのように同種の商品であっても、温蔵商品と冷蔵商品とは区別して販売されている。利用者が温蔵商品と冷蔵商品とを間違うことなく購入できるように、商品の種類と、温蔵商品であるか冷蔵商品であるかを一見してわかるように表示しなければならない。このため、自動販売機の展示室に、商品見本と、商品見本と関連づけた選択ボタンのほかに、温蔵商品であるか冷蔵商品であるかを区別する商品表示装置を配設してある。
【０００３】
商品表示装置は、商品見本と、商品見本と平行に配設され、かつ、商品見本と関連づけた選択ボタンとの間に、温蔵商品であるか冷蔵商品であるかを表示する無端状の商品表示テープを配設し、商品表示テープを周回させることにより商品が温蔵商品であるか冷蔵商品であるかの商品情報表示を切り換えるものが知られている（特許文献１参照）。
【０００４】
また、商品見本と、商品見本と関連づけた選択ボタンとの間に、商品が温蔵商品であるか冷蔵商品であるかを表示する表示テープを駆動プーリと従動プーリとに巻き付けて配設し、商品表示テープをモータなどの駆動手段により巻き取って、商品が温蔵商品であるか冷蔵商品であるかの商品情報表示を切り換えるものも知られている（特許文献２参照）。
【０００５】
【特許文献１】
実開平２−２３７８号公報
【特許文献２】
特開平６−１０３４４８号公報
【０００６】
【発明が解決しようとする課題】
ところで、上述したように、商品見本と、商品見本と関連づけた選択ボタンとの間に商品表示テープを配設し、商品表示テープをモータなどの駆動手段により移動させて温蔵商品表示と冷蔵商品表示とを切り換える自動販売機の商品表示装置は、簡単に制御でき、かつ、商品選択ボタンと対応する商品情報表示が確実に位置合わせできるものでなければならない。
【０００７】
本発明は、上記実情に鑑みて、簡単に制御でき、かつ、商品選択ボタンと対応する商品情報表示とが確実に位置合わせできる自動販売機の商品表示装置を提供することを目的とする。
【０００８】
【課題を解決するための手段】
上記の目的を達成するために、本発明の請求項１に係る自動販売機の商品表示装置は、駆動プーリと従動プーリとの間に巻回する一方、複数の商品情報表示を設けた商品表示テープを備え、駆動手段の駆動によってこの商品表示テープを移動させることにより、商品選択ボタンに対する商品情報表示の切り換えを行う自動販売機の商品表示装置において、前記商品表示テープの隣り合う商品情報表示を等ピッチで設け、前記商品表示テープの商品情報表示のピッチが前記駆動プーリの周長と比例関係を有することを特徴とする。
【０００９】
また、本発明の請求項２に係る自動販売機の商品表示装置は、駆動プーリと従動プーリとの間に巻回する一方、複数の商品情報表示を設けた商品表示テープを備え、駆動手段の駆動によってこの商品表示テープを移動させることにより、商品選択ボタンに対する商品情報表示の切り換えを行う自動販売機の商品表示装置において、前記商品表示テープに商品選択ボタンと商品情報表示の位置合わせの基準となる表示基準位置を設けるとともに、前記駆動プーリの回転基準となる回転原点を設け、前記商品表示テープの表示基準位置と前記駆動プーリの回転原点とを同時に検出するように設定したことを特徴とする。
【００１０】
【発明の実施の形態】
以下に添付図面を参照して、本発明に係る自動販売機の商品表示装置の好適な実施の形態を詳細に説明する。なお、図１は本発明の実施の形態に係る商品表示装置を適用した自動販売機の斜視図、図２は図１に示した商品表示装置であって、（ａ）は平面図，（ｂ）は正面図、図３は図２のＩＩＩ−ＩＩＩ断面図、図４は図２に示した駆動ユニットの説明図であって、（ａ）は平面図，（ｂ）は正面図，（ｃ）は左側面図、図５は図２に示した従動ユニットの説明図であって、（ａ）は平面図，（ｂ）は正面図，（ｃ）は右側面図、図６は図２に示した本発明の商品表示テープの概念図、図７は自動販売機の商品表示装置のブロック図である。
【００１１】
図１に示すように、本発明に係る自動販売機の商品表示装置を適用する自動販売機１は、本体キャビネット２と、本体キャビネット２に設けた商品収容室の前面開口部を覆う内扉３と、内扉３の外方において本体キャビネット２の前面開口部を覆う外扉４とを備えている。
【００１２】
本体キャビネット２に設けた商品収容室は、仕切壁により三つの商品収容室に画成され、各商品収容室の上方域に、缶商品，壜商品，ペットボトル商品などの商品を収納した商品ラックを収設する一方、各商品収納室の下方域に冷却／加熱ユニットを配設してある。
【００１３】
外扉４には、前面に硬貨投入口（図示せず），紙幣挿入口（図示せず），返却レバー（図示せず），返却口（図示せず），商品取出口５を配設する一方、上部域に展示室６を形成してある。展示室６は、外扉４の後方側に開閉可能に取り付けた中扉７と、外扉４の前面側にはめ込んだ透明板９により構成され、利用者が自動販売機１の前面側から展示室６内部を透視できるようになっている。
【００１４】
外扉４の前面側にはめ込んだ透明板９には、商品選択ボタン１０が配設してある。商品選択ボタン１０は各商品ラックと対応しており、商品選択ボタン１０を押下すると商品選択ボタン１０と対応する商品ラックから商品を搬出する。
【００１５】
展示室６を構成する中扉７の上方域は商品展示部８ａとして使用され、下方域は広告部８ｂとして使用される。商品展示部８ａには、本発明の実施の形態に係る自動販売機１の商品表示装置１１が上下方向に三段並べて配設してあり、広告部８ｂには、商品を広告するポスターなどが展示してある。
【００１６】
商品表示装置１１は、たとえば、商品情報を表示するものであって、より具体的には、展示した商品（商品見本１２）が冷蔵商品であるか、温蔵商品であるかの商品情報を表示するものである。図２に示すように、商品表示装置１１は、商品見本１２を取り付けた商品展示台１３と、商品展示台１３の回りを周回する商品表示テープ１４とを備えている。商品展示台１３は商品を展示するものであり、商品表示テープ１４は展示した商品の商品情報を表示するものである。商品展示台１３に商品見本１２を取り付けて、商品表示テープ１４が商品ごとにその商品の商品情報、すなわち、温蔵状態または冷蔵状態、を表示する。
【００１７】
図３に示すように、商品展示台１３は、下面を開放した断面コの字状の横長の箱形に形成してある。商品展示台１３は、その背面を切り起こして形成した係止片１３ａによって中扉７に取り付けてある。
【００１８】
また、図２（ａ）に示すように、商品展示台１３の上面には商品見本取付孔１３ｂが形成してあり、商品見本取付孔１３ｂには、たとえば１２個の商品見本１２が着脱可能に取り付けてある。商品見本１２は、商品選択ボタン１０と対応しており、商品選択ボタン１０と対応する商品ラックに収納した商品の見本を展示したものである。
【００１９】
図２（ｂ）に示すように、商品展示台１３の前面には商品見本１２ごとに矩形の表示窓１３ｃが形成してある。たとえば、商品展示台１３に１２個の商品見本１２を取り付ける場合には、１２個の表示窓１３ｃが形成してある。また、商品展示台１３の後方内側面には左右で一対をなして蛍光灯１５を取り付けるＬ字状の蛍光灯取付金具（図示せず）が取り付けてある。蛍光灯取付金具（図示せず）は蛍光灯１５を取り付けるソケット（図示せず）を備え、ソケット（図示せず）には蛍光灯１５が装着してある。
【００２０】
また、図３に示すように、商品展示台１３の前面には断面Ｌ字状に折り曲げて商品表示テープ１４が周回する商品表示ガイド１３ｄを形成する一方、商品展示台１３の後方内側面には商品表示テープ１４を案内する断面鍵状のテープガイド１６を取り付けてある。
【００２１】
図２に示すように、商品展示台１３の左端には商品表示テープ１４を周回させる駆動プーリ２０を備えた駆動ユニット２１が取り付けてあり、商品展示台１３の右端には商品表示テープ１４を巻回する従動プーリ４０を備えた従動ユニット４１が取り付けてある。
【００２２】
図４に示すように、駆動ユニット２１は、駆動機構２２と、ケース２３と、カバー２４とを有している。駆動機構２２は駆動プーリ２０を回転させるためのもので、モータ２５と、モータ２５から駆動プーリ２０に動力を伝達する歯車列２６とを備えている。ケース２３は駆動機構２２のうち、駆動プーリ２０とモータ２５とを収納して商品展示台１３に取り付けるものである。ケース２３の上面には商品表示テープ１４の表示基準位置を検出する基準位置検出スイッチ２７が取り付けてあり、ケース２３の下面には駆動プーリ２０の回転基準となる回転原点を検出する回転検出スイッチ２８が取り付けてある。基準位置検出スイッチ２７と回転検出スイッチ２８とは、いわゆるマイクロスイッチにより構成してある。
また、駆動プーリ２０の上面はカバー２４によって覆ってある。ケース２３とカバー２４との間には表示テープを案内する二つのガイドローラ２９が回転自在に取り付けてある。
【００２３】
駆動プーリ２０の下方域の外周には８個のツメ２０ａが形成してある。このツメ２０ａは駆動プーリ２０の外周に等間隔に形成してあり、その形状は円錐台状であって、商品表示テープ１４を確実に周回させることができる。また、駆動プーリ２０と一体に形成した軸には回転原点となる突起２０ｂが形成してあり、ケース２３に取り付けた回転検出スイッチ２８が駆動プーリ２０の回転を検出できる。
【００２４】
図５に示すように、従動ユニット４１は、ベース４２と、従動プーリ４０と、プーリガイド４３と、プーリピン４４と、バネ４５とから構成してある。ベース４２は従動ユニット４１を商品展示台１３に取り付けるもので略コの字状に形成し、その下面と上面には左右方向に延在する長孔４２ａが形成してある。ベース４２のコの字状に形成した凹部には従動プーリ４０を配設する一方、上面と下面にはプーリガイド４３が配設してある。そして、プーリガイド４３、ベース４２の長孔４２ａ、従動プーリ４０、ベース４２の長孔４２ａ、プーリガイド４３の順にプーリピン４４を貫通して、従動プーリ４０を回転自在に支承する。したがって、従動プーリ４０は上下のプーリガイド４３と一体に左右方向に摺動する。
また、ベース４２とプーリガイド４３との間にバネ４５を張架して、プーリガイド４３を右方向に付勢してある。このため、プーリガイド４３を貫通するプーリピン４４に支承した従動プーリ４０は右方向に付勢される。
【００２５】
駆動プーリ２０、テープガイド１６、一対の従動プーリ４０、商品表示ガイド１３ｄ、二つのガイドローラ２９の順に商品表示テープ１４が巻回してある。なお、従動プーリ４０は必ずしも一対である必要はなく、一つの従動プーリ４０であってもよい。また、ガイドローラ２９は必ずしも配設しなくてよく、駆動プーリ２０と従動プーリ４０との間に商品表示テープ１４を巻回したものであればよい。
【００２６】
商品表示テープ１４は、無端であって、光を透過するプラスチックフィルムによって作成してある。商品表示テープ１４の略半周にわたり表示窓１３ｃごとに一の商品情報表示（商品の状態情報表示）を印刷し、残りの略半周にわたり表示窓１３ｃごとに他の商品情報表示（商品の状態情報表示）を印刷してある。ここで、隣り合う表示窓１３ｃのピッチに対応する商品表示テープ１４の隣り合う商品情報表示が等ピッチで設けられ、このピッチが駆動プーリ２０の周長と同一に設定してある。このため、駆動プーリ２０を一回転させると商品表示テープ１４が表示窓１３ｃに対して商品表示テープ１４が一の商品情報表示分だけ移動する。
【００２７】
たとえば、商品展示台１３に１２個の商品見本１２を取り付ける場合には、２７領域に商品情報表示が印刷してある。そして、このうち１４領域には冷蔵商品である旨の表示、すなわち「つめた〜い」が連続して印刷してあり、残りの１３領域には温蔵商品である旨の表示、すなわち「あったか〜い」が連続して印刷してある。なお、これらの文字は商品の状態を強調するべく、商品が温蔵状態の場合には背景色を暖色（赤色）にして「あったか〜い」の文字を白抜きにし、商品が冷蔵状態の場合には背景色を寒色（青色）にして「つめた〜い」の文字を白抜きにすることが好ましい。また、温蔵状態を示す「あったか〜い」の文字の代わりに「ＨＯＴ」の文字を、冷蔵状態を示す「つめた〜い」の文字の代わり「ＣＯＬＤ」の文字を印刷してもよい。
【００２８】
また、図６に示すように、商品表示テープ１４の周方向において、商品情報表示の基準位置となる部分には基準位置検出孔１４ｂを形成してある。基準位置検出孔１４ｂは、すべての表示窓１３ｃに冷蔵商品である旨の商品情報表示を印刷した領域が位置するとき、すなわち、すべての表示窓１３ｃに「つめた〜い」の文字を印刷した領域が位置するときに、基準位置検出スイッチ２７が基準位置検出孔（表示基準位置）１４ｂを検出するように形成してある。また、商品表示テープ１４の周方向には基準位置検出孔１４ｂを基準として駆動プーリ２０のツメ２０ａと噛み合う噛合孔１４ａが全周にわたって形成してある。
【００２９】
また、基準位置検出スイッチ２７が商品表示テープ１４の基準位置検出孔（表示基準位置）１４ｂを検出した時に、回転検出スイッチ２８が駆動プーリ２０に形成した突起２０ｂ（回転原点）を同時に検出するように組み立ててある。ここで、基準位置検出スイッチ２７が商品表示テープ１４の基準位置検出孔１４ｂを検出した時に、回転検出スイッチ２８が駆動プーリ２０に形成した突起２０ｂを検出するように、商品表示テープ１４の噛合孔１４ａと駆動プーリ２０のツメ２０ａとに組立目印を付しておくことが好ましい。
【００３０】
商品表示テープ１４の略半周にわたって表示窓１３ｃごとに一の商品情報表示（商品の状態情報表示）が連続して印刷してあり、残りの略半周にわたって表示窓１３ｃごとに他の商品情報表示（商品の状態情報表示）が連続して印刷してあるので、たとえば、商品展示台１３に取り付けた商品（商品見本１２）のすべてが冷蔵商品である旨、すなわち、「つめた〜い」の表示ができる一方、商品展示台１３に取り付けた商品（商品見本１２）のすべてが温蔵商品である旨、すなわち「あったか〜い」の商品表示ができる。また、商品展示台１３の左側の商品（商品見本１２）群が冷蔵商品であって、商品展示台１３の右側の商品（商品見本１２）群が温蔵商品である旨の商品情報表示を切り分けて表示することもできる。また、冷蔵商品と温蔵商品との切り分け比率は任意に設定できる。
【００３１】
商品表示ガイド１３ｄには、透明な商品表示パネル１７を載置してある。商品表示パネル１７の後面側には商品選択ボタン１０に対応した商品価格が表示窓１３ｃに対応する領域ごとに印刷してある。
【００３２】
以上説明した、モータ２５と、回転検出スイッチ２８と、基準位置検出スイッチ２７とは、図７に示すように、商品表示装置１１の制御部６０に接続してある。そして、この制御部６０はさらに、自動販売機１の主制御部６１に接続してある。自動販売機１の主制御部６１には、商品表示装置１１の制御部６０のほか、各商品収容室の加熱／冷却ユニット、冷温販売モード設定スイッチが接続してあり、冷温販売モード設定スイッチを操作することにより、各商品収容室の加熱／冷却ユニットの運転を切り換えることができる。また、自動販売機１の主制御部６１は外部のリモートコントロールの操作により各商品収容室の加熱／冷却ユニットの運転を切り換えることもできる。すなわち、冷温販売モード信号が「冷却」の場合には冷却ユニットが稼働し、冷温販売モード信号が「加熱」の場合には加熱ユニットが稼働する。
【００３３】
この自動販売機１の商品表示装置１１によれば、表示窓１３ｃ枠内に商品表示テープ１４の商品情報表示と商品表示パネル１７の商品価格を示す領域が位置し、これらは蛍光灯１５により背照されるので、自動販売機１の前方から、商品（商品見本１２）、商品情報（商品状態情報）、商品の価格と関連づけて商品選択ボタン１０を視認できる。
【００３４】
つぎに、本発明の実施の形態に係る自動販売機の商品表示装置の作用を図８に基づいて説明する。なお、図８は自動販売機の商品表示装置の作用を示すフローチャートである。
【００３５】
自動販売機１の各商品収容室に収納する商品を冷蔵商品から温蔵商品に切り換える場合、あるいは温蔵商品から冷蔵商品に切り換える場合には、加熱／冷却ユニットの運転の切り換えのほかに、自動販売機１の商品表示装置１１の商品情報表示も切り換えなければならない。
【００３６】
冷温販売モード設定スイッチ、あるいはリモートコントロールを操作することにより設定信号が入力、すなわち、いずれか一つ以上の商品収容室の加熱／冷却ユニットの運転を切り換えると（ステップＳ１）、自動販売機１の主制御部６１は、商品収容室の加熱／冷却状態に基づいて、各商品選択ボタン１０に割り付けられた商品が冷蔵商品か、温蔵商品であるか判別する（ステップＳ２）。この判別結果に基づいて、商品表示テープ１４の送り量を算出し、その算出結果を自動販売機１の主制御部６１から商品表示装置１１の制御部６０に伝達する。商品表示装置１１の制御部６０は商品表示テープ１４の送り量に基づいて基準位置検出孔１４ｂを検出した後に駆動プーリ２０が回転すべき回転数を求める（ステップＳ３）。なお、商品表示テープ１４の一つの商品情報表示は、駆動プーリ２０の周長と同一であるので、商品表示テープ１４の送り量（商品情報表示数）と駆動プーリ２０の回転数は同一に求められる。
【００３７】
商品表示装置１１の制御部６０は、次に、基準位置検出スイッチ２７が商品表示テープ１４の基準位置検出孔１４ｂを検出するまでモータ２５を駆動する（ステップＳ４）。基準位置検出スイッチ２７が商品表示テープ１４の基準位置検出孔１４ｂを検出する（ステップＳ５：ＹＥＳ）と商品表示装置１１の制御部６０は、一旦、モータ２５を停止する（ステップＳ６）。このとき、すべての表示窓１３ｃに冷蔵商品である旨の商品情報表示、すなわち、「つめた〜い」の表示がなされ、回転検出スイッチ２８が駆動プーリ２０に形成した突起２０ｂを検出する。その後、商品表示装置１１の制御部６０は、算出した商品表示テープ１４の送り量を検出するまで、すなわち、求めた駆動プーリ２０の回転数を検出するまで、モータ２５を駆動する（ステップＳ７）。商品表示テープ１４が算出した送り量、すなわち、求めた駆動プーリ２０の回転数、を検出すると（ステップＳ８：ＹＥＳ）、モータ２５を停止して商品表示装置１１の制御部６０から自動販売機１の主制御部６１に商品情報表示の切り換えが完了した旨を通知して商品情報表示の切り換えが終了する（ステップＳ９）。
【００３８】
この自動販売機１の商品表示装置１１によれば、商品表示テープ１４を周回させることにより、商品（商品見本１２）、商品の価格、商品選択ボタン１０に対して商品情報表示（商品の状態情報）を切り換えることができる。
【００３９】
本発明の実施の形態に係る自動販売機１の商品表示装置１１は、駆動プーリ２０が一回転すると商品表示テープ１４の一の商品情報表示が切り換わるように、商品表示テープ１４の隣り合う商品情報表示のピッチと駆動プーリ２０の周長とは同一の長さを有するが、これに限ることなく、商品表示テープ１４の隣り合う商品情報表示のピッチが駆動プーリ２０の周長と比例関係を有するものであればよい。たとえば、商品表示テープ１４の商品情報表示のピッチと駆動プーリ２０の周長とが比例関係を有するものであれば、商品情報表示のピッチを駆動プーリ２０の周長の２倍、３倍等の任意の長さにすることができる。商品表示テープ１４の商品情報表示のピッチが駆動プーリ２０の周長の２倍の長さを有する場合には、駆動プーリ２０を２回転させれば商品情報表示が移動して商品情報表示が切り換わり、商品表示テープ１４の商品情報表のピッチが駆動プーリ２０の周長の３倍の長さを有する場合には、駆動プーリ２０を３回転させれば商品情報表示領域が移動して商品情報表示が切り換わる。
【００４０】
本発明の実施の形態に係る自動販売機１の商品表示装置１１は、基準位置検出スイッチ２７が商品表示テープ１４の表示基準位置を検出した時に回転検出スイッチ２８が駆動プーリ２０の回転原点を検出するように、基準位置検出スイッチ２７が商品表示テープ１４の基準位置検出孔１４ｂを検出した時に、回転検出スイッチ２８が駆動プーリ２０の突起２０ｂを同時に検出するように組み立ててあるが、これに限ることなく、基準位置検出スイッチ２７が商品表示テープ１４の基準位置検出孔１４ｂを検出した時に、回転検出スイッチ２８が駆動プーリ２０の突起２０ｂを検出するように回転検出スイッチ２８を取り付けてもよい。また、回転検出スイッチ２８が駆動プーリ２０の突起２０ｂを検出した時に、基準位置検出スイッチ２７が商品表示テープ１４の基準位置検出孔１４ｂを検出するように基準位置検出スイッチ２７を取り付けてもよい。
【００４１】
本発明の実施の形態に係る自動販売機１の商品表示装置１１によれば、駆動プーリ２０が一回転すると、商品情報表示が一表示分だけ移動するので、簡単に制御でき、かつ、商品選択ボタン１０と対応する商品情報表示を確実に位置合わせできる。
【００４２】
本発明の実施の形態に係る自動販売機１の商品表示装置１１によれば、基準位置検出スイッチ２７が商品表示テープ１４の基準位置検出孔１４ｂを検出した時に、駆動プーリ２０の突起２０ｂ（回転原点）を同時に検出するので、基準位置検出スイッチ２７が商品表示テープ１４の基準位置検出孔１４ｂを検出した後は、駆動プーリ２０の回転を検出するだけで商品情報表示を切り換えることができる。
【００４３】
【発明の効果】
以上説明したように、本発明の請求項１に係る自動販売機の商品表示装置によれば、駆動プーリが回転すると、比例関係を有する商品情報表示が移動するので、簡単な制御によって、商品選択ボタンに対応する商品情報表示を確実に位置合わせできる。
【００４４】
本発明の請求項２に係る自動販売機の商品表示装置によれば、商品表示テープの表示基準位置と駆動プーリの回転原点とを同時に検出するように設定したので、商品表示テープの表示基準位置を検出した後は、駆動プーリの回転を検出するだけで商品情報表示を切り換えることができる。このため、簡単な制御によって、商品選択ボタンに対応する商品情報表示を確実に位置合わせできる。
【図面の簡単な説明】
【図１】本発明の実施の形態に係る自動販売機の商品表示装置を適用した自動販売機の斜視図である。
【図２】図１に示した商品表示装置の説明図であって、（ａ）は平面図、（ｂ）は正面図である。
【図３】図２のＩＩＩ−ＩＩＩ断面図である。
【図４】図２に示した駆動ユニットの説明図であって、（ａ）は平面図、（ｂ）は正面図、（ｃ）は左側面図である。
【図５】図２に示した従動ユニットの説明図であって、（ａ）は平面図、（ｂ）は正面図、（ｃ）は右側面図である。
【図６】図２に示した商品表示テープの概念図である。
【図７】自動販売機の商品表示装置のブロック図である。
【図８】本発明の実施の形態に係る自動販売機の商品表示装置の作用を示すフローチャートである。
【符号の説明】
１          自動販売機
６          展示室
７          中扉
８ａ        商品展示部
９          透明板
１０          商品選択ボタン
１１          商品表示装置
１２          商品見本
１３          商品展示台
１３ｂ        商品見本取付孔
１３ｃ        表示窓
１３ｄ        商品表示ガイド
１４          商品表示テープ
１４ａ        噛合孔
１４ｂ        基準位置検出孔
１５          蛍光灯
１６          テープガイド
１７          商品表示パネル
２０          駆動プーリ
２０ａ        ツメ
２０ｂ        突起
２１          駆動ユニット
２２          駆動機構
２３          ケース
２４          カバー
２５          モータ
２６          歯車列
２７          基準位置検出スイッチ
２８          回転検出スイッチ
２９          ガイドローラ
４０          従動プーリ
４１          従動ユニット
４２          ベース
４２ａ        長孔
４３          プーリガイド
４４          プーリピン
４５          バネ
６０          制御部
６１          主制御部
【図１】
2004234490.tif 000003
【図２】
2004234490.tif 000004
【図３】
2004234490.tif 000005
【図４】
2004234490.tif 000006
【図５】
2004234490.tif 000007
【図６】
2004234490.tif 000008
【図７】
2004234490.tif 000009
【図８】
2004234490.tif 000010